(57)【要約】【課題】視覚障害者が実行中の制御を停止したい場合に、実行中の制御を停止する可能性を高めること。【解決手段】実施形態に係る操作装置は、局部洗浄機能を有する便座装置が備えられたトイレルーム内に設置され、便座装置を操作するための操作装置であって、表示部と、接触検知部と、送信部とを備える。表示部は、便座装置に対する制御指示に関連する複数のオブジェクトを表示する。接触検知部は、表示部に対する使用者の接触を検知する。送信部は、表示部に表示されたオブジェクトへの使用者の接触が接触検知部により検知された場合に、オブジェクトと関連する制御指示により便座装置を操作するための信号を送信する。また、表示部は、便座装置による制御を停止する停止制御指示に関連するオブジェクトであって、複数のオブジェクトの中で表示部に占める領域が最大のオブジェクトである停止オブジェクトを含む複数のオブジェクトを表示する。【選択図】図３
2020119106.tif 000002
【特許請求の範囲】
【請求項１】
局部洗浄機能を有する便座装置が備えられたトイレルーム内に設置され、前記便座装置を操作するための操作装置であって、
前記操作装置は、
前記便座装置に対する制御指示に関連する複数のオブジェクトを表示する表示部と、
前記表示部に対する使用者の接触を検知する接触検知部と、
前記表示部に表示されたオブジェクトへの前記使用者の接触が前記接触検知部により検知された場合に、前記オブジェクトと関連する前記制御指示により前記便座装置を操作するための信号を送信する送信部と、
を備え、
前記表示部は、
前記便座装置による制御を停止する停止制御指示に関連するオブジェクトであって、前記複数のオブジェクトの中で前記表示部に占める領域が最大のオブジェクトである停止オブジェクトを含む前記複数のオブジェクトを表示することを特徴とする操作装置。
【請求項２】
局部洗浄機能を有する便座装置が備えられたトイレルーム内に設置され、前記便座装置を操作するための操作装置であって、
前記操作装置は、
前記便座装置に対する制御指示に関連するオブジェクトを表示する表示部と、
前記表示部に対する使用者の接触を検知する接触検知部と、
前記表示部に表示された前記オブジェクトへの前記使用者の接触が前記接触検知部により検知された場合に、前記オブジェクトと関連する前記制御指示により前記便座装置を操作するための信号を送信する送信部と、
を備え、
前記送信部は、
前記接触検知部が、前記使用者による前記オブジェクトが表示された前記表示部への接触を検知した後の所定期間内に、前記接触の位置を含む前記表示部の所定の範囲内への前記使用者による接触を検知した場合、前記便座装置が実行中の制御を停止するための前記信号を送信することを特徴とする操作装置。
【請求項３】
局部洗浄機能を有する便座装置が備えられたトイレルーム内に設置され、前記便座装置を操作するための操作装置であって、
前記操作装置は、
前記便座装置に対する制御指示に関連するオブジェクトを表示する表示部と、
前記表示部に対する使用者の接触を検知する接触検知部と、
前記表示部に表示された前記オブジェクトへの前記使用者の接触が前記接触検知部により検知された場合に、前記オブジェクトと関連する前記制御指示により前記便座装置を操作するための信号を送信する送信部と、
を備え、
前記表示部には、前記便座装置による制御を停止する停止制御指示に関連し、前記オブジェクトに比して透明度が高い隠れオブジェクトが配置され、
前記送信部は、
前記表示部において前記隠れオブジェクトが配置された領域への前記使用者の接触が前記接触検知部により検知された場合、前記便座装置が実行中の制御を停止するための前記信号を送信することを特徴とする操作装置。
【請求項４】
前記表示部は、
前記隠れオブジェクトの配置前において、前記便座装置による制御を停止する停止制御指示に関連する停止オブジェクト以外の所定のオブジェクトへの前記使用者の接触が前記接触検知部により検知された場合に、前記隠れオブジェクトを配置することを特徴とする請求項３に記載の操作装置。
【請求項５】
局部洗浄機能を有する便座装置が備えられたトイレルーム内に設置され、前記便座装置を操作するための操作装置であって、
前記操作装置は、
前記便座装置に対する制御指示に関連するオブジェクトを表示する表示部と、
前記表示部の外周部に設けられる枠部と、
前記枠部に設けられ、使用者が押下可能なスイッチ部と、
前記表示部に対する前記使用者の接触を検知する接触検知部と、
前記表示部に表示された前記オブジェクトへの前記使用者の接触が前記接触検知部により検知された場合に、前記オブジェクトと関連する前記制御指示により前記便座装置を操作するための信号を送信する送信部と、
を備え、
前記送信部は、
前記使用者によって前記スイッチ部が押下された場合、前記便座装置が実行中の制御を停止するための前記信号を送信することを特徴とする操作装置。
【請求項６】
局部洗浄機能を有する便座装置が備えられたトイレルーム内に設置され、前記便座装置を操作するための操作装置であって、
前記操作装置は、
前記便座装置に対する制御指示に関連する複数のオブジェクトを表示する表示部と、
前記表示部に対する使用者の接触を検知する接触検知部と、
前記表示部に表示されたオブジェクトへの前記使用者の接触が前記接触検知部により検知された場合に、前記オブジェクトと関連する前記制御指示により前記便座装置を操作するための信号を送信する送信部と、
前記接触検知部により検知された前記使用者による前記表示部への第１接触と、前記第１接触の後において、前記接触検知部により検知された前記使用者による前記表示部への第２接触との関係を判定する判定部と、
を備え、
前記送信部は、
前記判定部により判定された前記関係に基づいて、前記使用者による操作が異常であると判定された場合、前記便座装置が実行中の制御を停止するための前記信号を送信することを特徴とする操作装置。
【請求項７】
前記判定部は、
前記使用者による前記表示部に表示された第１オブジェクトへの前記第１接触と、前記第２接触との関係を判定することを特徴とする請求項６に記載の操作装置。
【請求項８】
前記判定部は、
前記第１接触と、前記使用者による前記表示部に表示された第２オブジェクトへの前記第２接触とにより、前記第１オブジェクトと前記第２オブジェクトとの関係を判定することを特徴とする請求項７に記載の操作装置。
【請求項９】
前記判定部は、
前記第１オブジェクトと前記第２オブジェクトとの関連性に基づいて、前記使用者による操作が異常であるかどうかを判定することを特徴とする請求項８に記載の操作装置。
【発明の詳細な説明】
【技術分野】
【０００１】
開示の実施形態は、操作装置に関する。
【背景技術】
【０００２】
従来、トイレルームに設置された局部洗浄機能を有する便座装置を操作するためのタッチパネル式の装置が知られている（例えば、特許文献１、特許文献２参照）。
【０００３】
このような、タッチパネル式の装置は、その装置の画面に表示されたオブジェクトに使用者が触れたことを感知し、そのオブジェクトに関連する制御指示を便座装置に実行させる。
【先行技術文献】
【特許文献】
【０００４】
【特許文献１】特開平１０−１１０４５８号公報
【特許文献２】特開２００８−００２１５１号公報
【特許文献３】登録実用新案第３０９７７９１号公報
【発明の概要】
【発明が解決しようとする課題】
【０００５】
しかしながら、タッチパネル式の装置の場合、視覚障害者が操作することが難しいといった問題がある。例えば、全盲の人など、装置の画面に表示されるオブジェクトを視覚によって認識することが困難な視覚障害者の方がタッチパネル式の操作装置を使用して便座装置を操作する場合、所望の制御が実行されるまで、操作装置の表示部（表示面）を手探りで触っていかなければならず、意図しない制御を実行してしまうという課題がある。このため、タッチパネル式の装置においては、視覚障害者が実行中の制御を停止したい場合に、実行中の制御を停止する可能性を高めることが課題となる。
【０００６】
開示の実施形態は、視覚障害者が実行中の制御を停止したい場合に、実行中の制御を停止する可能性を高めることができる操作装置を提供することを目的とする。
【課題を解決するための手段】
【０００７】
実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連する複数のオブジェクトを表示する表示部と、前記表示部に対する使用者の接触を検知する接触検知部と、前記表示部に表示されたオブジェクトへの前記使用者の接触が前記接触検知部により検知された場合に、前記オブジェクトと関連する前記制御指示により前記便座装置を操作するための信号を送信する送信部と、を備え、前記表示部は、前記便座装置による制御を停止する停止制御指示に関連するオブジェクトであって、前記複数のオブジェクトの中で前記表示部に占める領域が最大のオブジェクトである停止オブジェクトを含む前記複数のオブジェクトを表示することを特徴とする。
【０００８】
視覚障害者、特に全盲の人が便座装置を操作するためのタッチパネル式の操作装置を使用した際に、意図しない制御が実行されてしまった場合、実行中の制御を停止する停止制御指示に関連するオブジェクトに接触することを試みて、表示面に対してランダムに接触する対応を行うことが多い。例えば、本発明者らは、全盲の方々を対象に、便座装置を操作するためのタッチパネル式の操作装置を使用した際に、意図しない制御が実行されてしまった場合、どのような対応を図っているのかヒアリングを行った。その結果、実行中の制御を停止する停止制御指示に関連するオブジェクトに接触することを試みて、表示画面に対してランダムに接触する対応を取られている方が多いことが分かった。実施形態の一態様に係る操作装置において、操作装置の表示部（表示面）に表示される複数の制御指示に関連する複数のオブジェクトの内、便座装置による制御を停止する停止制御指示に関連するオブジェクトの表示面積が最も大きい。これによって、全盲の人が、タッチパネル式の操作装置に触れることにより、意図しない制御が実行されてしまったとしても、制御を停止する停止制御指示に関連するオブジェクトの面積が最も大きいため、全盲の人が表示部にランダムに接触することで実行中の制御を速やかに停止できる可能性を高めることができる。したがって、常に音声案内装置を用いずとも、全盲の人が従来よりも実行中の制御を速やかに停止することが可能であり、且つ健常者の使用感も損ねることが無いタッチパネル式の操作装置を提供することができる。このように、実施形態の一態様に係る操作装置によれば、視覚障害者が実行中の制御を停止したい場合に、実行中の制御を停止する可能性を高めることができる。
【０００９】
実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連するオブジェクトを表示する表示部と、前記表示部に対する使用者の接触を検知する接触検知部と、前記表示部に表示された前記オブジェクトへの前記使用者の接触が前記接触検知部により検知された場合に、前記オブジェクトと関連する前記制御指示により前記便座装置を操作するための信号を送信する送信部と、を備え、前記送信部は、前記接触検知部が、前記使用者による前記オブジェクトが表示された前記表示部への接触を検知した後の所定期間内に、前記接触の位置を含む前記表示部の所定の範囲内への前記使用者による接触を検知した場合、前記便座装置が実行中の制御を停止するための前記信号を送信することを特徴とする。
【００１０】
操作装置のオブジェクトが表示された表示部（表示面）に対して、使用者が接触したことを接触検知部が検知した後の所定時間内に、接触の位置を含む表示部の所定の範囲内に対して使用者が接触したことを接触検知部が検知したとき、送信部は、便座装置が実行中の制御を停止するための信号を送信する。これによって、視覚障害者、特に全盲の人が、タッチパネル式の操作装置に触れることにより、意図しない制御が実行されてしまったとしても、直前に接触した表示部の同じ位置に対して再び接触することで実行中の制御を停止することができる。したがって、実行中の制御を停止する停止制御指示に関連するオブジェクトを探す必要がなくなるため、常に音声案内装置を用いずとも、全盲の方が従来よりも実行中の制御を速やかに停止することが可能であり、且つ健常者の使用感も損ねることが無いタッチパネル式の操作装置を提供することができる。このように、実施形態の一態様に係る操作装置によれば、視覚障害者が実行中の制御を停止したい場合に、実行中の制御を停止する可能性を高めることができる。
【００１１】
実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連するオブジェクトを表示する表示部と、前記表示部に対する使用者の接触を検知する接触検知部と、前記表示部に表示された前記オブジェクトへの前記使用者の接触が前記接触検知部により検知された場合に、前記オブジェクトと関連する前記制御指示により前記便座装置を操作するための信号を送信する送信部と、を備え、前記表示部には、前記便座装置による制御を停止する停止制御指示に関連し、前記オブジェクトに比して透明度が高い隠れオブジェクトが配置され、前記送信部は、前記表示部において前記隠れオブジェクトが配置された領域への前記使用者の接触が前記接触検知部により検知された場合、前記便座装置が実行中の制御を停止するための前記信号を送信することを特徴とする。
【００１２】
操作装置の表示部（表示面）に、オブジェクトに比して透明度が高く、視覚により認知し難い、若しくは視覚により認知することができない隠れオブジェクトを設けると共に、接触検知部が、その隠れオブジェクトに使用者が接触したことを検知したとき、送信部は、便座装置が実行中の制御を停止するための信号を送信する。これによって、表示部に表示されている、広告やオブジェクトに接触することで実行される便座装置の制御説明などの映像に対する視認性を損ねることなく、表示部における便座装置の制御を停止するための停止制御指示に関連するオブジェクトの占有面積を増やすことができるため、全盲の人が表示部にランダムに接触することで実行中の制御を速やかに停止できる可能性を高めることができる。したがって、常に音声案内装置を用いずとも、全盲の方が従来よりも実行中の制御を速やかに停止することが可能であり、且つ健常者の使用感も損ねることが無いタッチパネル式の操作装置を提供することができる。このように、実施形態の一態様に係る操作装置によれば、視覚障害者が実行中の制御を停止したい場合に、実行中の制御を停止する可能性を高めることができる。
【００１３】
また、実施形態の一態様に係る操作装置において、前記表示部は、前記隠れオブジェクトの配置前において、前記便座装置による制御を停止する停止制御指示に関連する停止オブジェクト以外の所定のオブジェクトへの前記使用者の接触が前記接触検知部により検知された場合に、前記隠れオブジェクトを配置することを特徴とする。
【００１４】
操作装置の表示部（表示面）において、最初は隠れオブジェクトを配置せず、便座装置による制御を停止する停止制御指示に関連する停止オブジェクト以外の所定のオブジェクトへの使用者の接触が検知された場合に、隠れオブジェクトを配置することにより、視覚障害者が実行中の制御を停止しようとした場合に、停止するオブジェクトに接触する可能性を高めることができる。したがって、実施形態の一態様に係る操作装置によれば、視覚障害者が実行中の制御を停止したい場合に、実行中の制御を停止する可能性を高めることができる。
【００１５】
実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連するオブジェクトを表示する表示部と、前記表示部の外周部に設けられる枠部と、前記枠部に設けられ、使用者が押下可能なスイッチ部と、前記表示部に対する前記使用者の接触を検知する接触検知部と、前記表示部に表示された前記オブジェクトへの前記使用者の接触が前記接触検知部により検知された場合に、前記オブジェクトと関連する前記制御指示により前記便座装置を操作するための信号を送信する送信部と、を備え、前記送信部は、前記使用者によって前記スイッチ部が押下された場合、前記便座装置が実行中の制御を停止するための前記信号を送信することを特徴とする。
【００１６】
視覚障害者、特に全盲の人は、便座に着座した状態で触れる位置にあるトイレルーム内の壁面を触りながら、操作装置の表示部の外側に形成されたフレームを触ることで操作装置の全体形状を把握してから当たりを付けることで操作装置を使用することが多い。そこで、操作装置の表示部（表示面）の外側に形成された枠部（フレーム）に押しボタンスイッチ等のスイッチ部を設けると共に、使用者によって押しボタンスイッチが押し下げられたとき、送信部は、便座装置が実行中の制御を停止するための信号を送信する。これにより、全盲の方が、操作装置の全体形状を把握するために操作装置のフレームを触る際に、便座装置が実行中の制御を停止するための信号を送信可能な押しボタンスイッチの位置を触覚により認識することが可能である。そのため、意図しない制御が実行されてしまったとしても、便座装置が実行中の制御を速やかに停止することが可能となる。したがって、常に音声案内装置を用いずとも、全盲の方が従来よりも実行中の制御を速やかに停止することが可能であり、且つ健常者の使用感も損ねることが無いタッチパネル式の操作装置を提供することができる。このように、実施形態の一態様に係る操作装置によれば、視覚障害者が実行中の制御を停止したい場合に、実行中の制御を停止する可能性を高めることができる。
【００１７】
実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連する複数のオブジェクトを表示する表示部と、前記表示部に対する使用者の接触を検知する接触検知部と、前記表示部に表示されたオブジェクトへの前記使用者の接触が前記接触検知部により検知された場合に、前記オブジェクトと関連する前記制御指示により前記便座装置を操作するための信号を送信する送信部と、前記接触検知部により検知された前記使用者による前記表示部への第１接触と、前記第１接触の後において、前記接触検知部により検知された前記使用者による前記表示部への第２接触との関係を判定する判定部と、を備え、前記送信部は、前記判定部により判定された前記関係に基づいて、前記使用者による操作が異常であると判定された場合、前記便座装置が実行中の制御を停止するための前記信号を送信することを特徴とする。
【００１８】
このように、接触検知部によって使用者による接触が検知された第１のオブジェクトと、その次に接触検知部によって使用者による接触が検知された第２のオブジェクトとの関係を判定する判定部を備え、判定部によって、第１のオブジェクトと第２のオブジェクトとの関係が異常であると判定された場合、送信部は、便座装置が実行中の制御を停止するための信号を送信する。これによって、全盲の方が表示部にランダムに接触することで実行中の制御を停止できる可能性を高めることができる。したがって、常に音声案内装置を用いずとも、全盲の方が従来よりも実行中の制御を速やかに停止することが可能であり、且つ健常者の使用感も損ねることが無いタッチパネル式の操作装置を提供することができる。このように、実施形態の一態様に係る操作装置によれば、視覚障害者が実行中の制御を停止したい場合に、実行中の制御を停止する可能性を高めることができる。
【００１９】
また、実施形態の一態様に係る操作装置において、前記判定部は、前記使用者による前記表示部に表示された第１オブジェクトへの前記第１接触と、前記第２接触との関係を判定することを特徴とする。
【００２０】
このように、操作装置は、使用者による表示部に表示された第１オブジェクトへの第１接触と、第２接触との関係を判定することにより、オブジェクトに接触した第１接触とその後の第２接触との関係に基づいて適切に判定を行うことができる。したがって、操作装置によれば、視覚障害者が実行中の制御を停止したい場合に、実行中の制御を停止する可能性を高めることができる。
【００２１】
また、実施形態の一態様に係る操作装置において、前記判定部は、前記第１接触と、前記使用者による前記表示部に表示された第２オブジェクトへの前記第２接触とにより、前記第１オブジェクトと前記第２オブジェクトとの関係を判定することを特徴とする。
【００２２】
このように、操作装置は、第１接触と、使用者による表示部に表示された第２オブジェクトへの第２接触との関係を判定することにより、第１接触とその後のオブジェクトに接触した第２接触との関係に基づいて適切に判定を行うことができる。したがって、操作装置によれば、視覚障害者が実行中の制御を停止したい場合に、実行中の制御を停止する可能性を高めることができる。
【００２３】
また、実施形態の一態様に係る操作装置において、前記判定部は、前記第１オブジェクトと前記第２オブジェクトとの関連性に基づいて、前記使用者による操作が異常であるかどうかを判定することを特徴とする。
【００２４】
このように、操作装置は、第１接触と、第１オブジェクトと第２オブジェクトとの関連性に基づいて、前記使用者による操作が異常であるかどうかを判定することにより、第１接触とその後のオブジェクトに接触した第２接触との関係に基づいて適切に判定を行うことができる。したがって、操作装置によれば、視覚障害者が実行中の制御を停止したい場合に、実行中の制御を停止する可能性を高めることができる。
【発明の効果】
【００２５】
実施形態の一態様によれば、視覚障害者が実行中の制御を停止したい場合に、実行中の制御を停止する可能性を高めることができる。
【図面の簡単な説明】
【００２６】
【図１】図１は、第１の実施形態に係る操作装置の一例を示す図である。
【図２】図２は、トイレシステムの外観構成の一例を示す模式斜視図である。
【図３】図３は、トイレシステムの構成の一例を示すブロック図である。
【図４】図４は、便座装置の機能構成の一例を示すブロック図である。
【図５】図５は、操作装置が実行する処理の手順の一例を示すフローチャートである。
【図６】図６は、第２の実施形態に係る操作装置の一例を示す図である。
【図７】図７は、第２の実施形態に係る操作装置の機能構成の一例を示す図である。
【図８】図８は、第２の実施形態に係る操作装置が実行する処理の手順の一例を示すフローチャートである。
【図９】図９は、第３の実施形態に係る操作装置の情報処理の一例を示す図である。
【図１０】図１０は、第３の実施形態に係る操作装置の機能構成の一例を示す図である。
【図１１】図１１は、第３の実施形態に係る操作装置が実行する処理の手順の一例を示すフローチャートである。
【図１２】図１２は、第３の実施形態に係る操作装置が実行する処理の手順の一例を示すフローチャートである。
【図１３】図１３は、便座装置の他の構成の一例を示すブロック図である。
【図１４】図１４は、トイレシステムが実行する処理の手順の一例を示すフローチャートである。
【図１５】図１５は、操作装置が実行する画面遷移の一例を示す図である。
【図１６】図１６は、操作装置が実行する機能説明の処理の手順の一例を示すフローチャートである。
【図１７】図１７は、操作装置が実行するロック解除における画面遷移の一例を示す図である。
【図１８】図１８は、操作装置が実行するロック解除における画面遷移の他の一例を示す図である。
【発明を実施するための形態】
【００２７】
以下、添付図面を参照して、本願の開示する操作装置の実施形態を詳細に説明する。なお、以下に示す実施形態によりこの発明が限定されるものではない。
【００２８】
［第１の実施形態］
＜１．情報処理＞
まず、第１の実施形態に係る操作装置において実行される情報処理の内容について図１を参照して説明する。図１は、第１の実施形態に係る操作装置の一例を示す図である。図１に示す操作装置１０は、局部洗浄機能を有する便座装置２（図２参照）を操作するための情報処理装置である。操作装置１０は、タッチパネルの機能を有するタッチパネル式の操作装置であり、ディスプレイである表示部１３への使用者の接触に応じて操作を受け付ける。また、操作装置１０は、トイレルームＲ（図２参照）等のトイレ室に配置されるが詳細は後述する。
【００２９】
図１の例では、操作装置１０の長手方向を横に向けて使用する表示態様により、操作装置１０の短手方向を上下方向とし、表示部１３の長手方向を左右方向として説明するが、操作装置１０の方向を規定するものではない。図１に示すように、操作装置１０は、表示部１３の外周部１３１に沿って枠部１８が設けられる。枠部１８は、表示部１３の周囲を囲むフレームである。なお、図１では、枠部１８と表示部１３との境界を明示し、枠部１８の内側全体が表示部１３であることを明示するために、枠部１８にハッチングを付す。
【００３０】
図１の操作装置１０は、表示部１３に操作画面が表示された状態を示す。操作画面には、便座装置２の局部洗浄機能に対する制御指示に関連するオブジェクトＯＢ１〜ＯＢ７や広告や機能説明等の種々のコンテンツが表示される情報表示エリアＣＴが含まれる。図１に示すように、操作画面が表示された表示部１３には、上側に情報表示エリアＣＴが配置され、オブジェクトＯＢ１〜ＯＢ７等が下側に配置される。
【００３１】
ここで、オブジェクトＯＢ１は、便座装置２により実行中の制御を止めるためのオブジェクトである。オブジェクトＯＢ２は、便座装置２による局部洗浄の実行を開始するためのオブジェクトである。オブジェクトＯＢ３は、便座装置２に所定の音を出力させるためのオブジェクトである。オブジェクトＯＢ４は、便座装置２のノズル部６（図２参照）を除菌水で殺菌する殺菌処理を行うためのオブジェクトである。
【００３２】
オブジェクトＯＢ５は、便座装置２による局部洗浄時の吐水の勢いを調整するためのオブジェクトである。オブジェクトＯＢ６は、便座装置２が出力する音の音量を調整するためのオブジェクトである。オブジェクトＯＢ７は、トイレの利用に関する情報を操作装置１０に表示したり音声出力したりする際の言語を選択するためのオブジェクトである。
【００３３】
オブジェクトＯＢ２〜ＯＢ４の右下に配置された機能説明オブジェクトＩＯ２〜ＩＯ４は、対応するオブジェクトの機能の説明を行うためのオブジェクトである。例えば、機能説明オブジェクトＩＯ２に使用者が接触した場合、情報表示エリアＣＴにオブジェクトＯＢ２に関する機能説明のコンテンツが表示される。
【００３４】
操作装置１０は、表示部１３に表示されたオブジェクトＯＢ１に使用者が接触したことを検知した場合、実行中の制御を便座装置２に止めさせるための信号を便座装置２へ送信する。また、操作装置１０は、表示部１３に表示されたオブジェクトＯＢ２に使用者が接触したことを検知した場合、局部洗浄の実行を便座装置２に開始させるための信号を便座装置２へ送信する。また、操作装置１０は、表示部１３に表示されたオブジェクトＯＢ３に使用者が接触したことを検知した場合、トイレの音消し用等の所定の音を便座装置２に出力させるための信号を便座装置２へ送信する。また、操作装置１０は、表示部１３に表示されたオブジェクトＯＢ４に使用者が接触したことを検知した場合、ノズル部６の殺菌処理を便座装置２に実行させるための信号を便座装置２へ送信する。
【００３５】
また、操作装置１０は、表示部１３に表示されたオブジェクトＯＢ５に使用者が接触したことを検知した場合、局部洗浄時の吐水の勢いを調整するための信号を便座装置２へ送信する。例えば、操作装置１０は、オブジェクトＯＢ５の「＋」が表示された部分に使用者が接触したことを検知した場合、局部洗浄時の吐水の勢いを強めるための信号を便座装置２へ送信する。また、例えば、操作装置１０は、オブジェクトＯＢ５の「−」が表示された部分に使用者が接触したことを検知した場合、局部洗浄時の吐水の勢いを弱めるための信号を便座装置２へ送信する。
【００３６】
また、操作装置１０は、表示部１３に表示されたオブジェクトＯＢ６に使用者が接触したことを検知した場合、出力する音の音量を調整するための信号を便座装置２へ送信する。例えば、操作装置１０は、オブジェクトＯＢ６の「＋」が表示された部分に使用者が接触したことを検知した場合、出力する音の音量を強めるための信号を便座装置２へ送信する。また、例えば、操作装置１０は、オブジェクトＯＢ６の「−」が表示された部分に使用者が接触したことを検知した場合、出力する音の音量を弱めるための信号を便座装置２へ送信する。例えば、操作装置１０は、オブジェクトＯＢ１〜ＯＢ７の範囲を示す情報を記憶部１４（図３参照）に記憶し、使用者の接触位置との比較に基づいて、使用者がオブジェクトＯＢ１〜ＯＢ７に接触したかを判定する。
【００３７】
図１に示すように、表示部１３に表示された複数のオブジェクトＯＢ１〜ＯＢ７のうち、便座装置２による制御を停止する停止制御指示に関連する停止オブジェクトであるオブジェクトＯＢ１が最も大きい。すなわち、表示部１３に表示された複数のオブジェクトＯＢ１〜ＯＢ７のうち、オブジェクトＯＢ１の面積が最大である。このように、操作画面が表示された表示部１３は、複数のオブジェクトＯＢ１〜ＯＢ７のうち、オブジェクトＯＢ１を最も大きく表示することにより、視覚障害者等が無作為に表示面１３に接触した場合に、複数のオブジェクトＯＢ１〜ＯＢ７のうち、オブジェクトＯＢ１に接触する可能性を最も高くする。これにより、操作装置１０は、視覚障害者が実行中の制御を停止したい場合に、実行中の制御を停止する可能性を高めることができる。
【００３８】
また、表示部１３は、情報表示エリアＣＴやオブジェクトＯＢ１〜ＯＢ７の周囲の余白部ＢＳに、オブジェクトＯＢ１〜ＯＢ７に比して透明度が高い隠しオブジェクトを設ける。このように、表示部１３は、便座装置２による制御を停止する停止制御指示に関連する隠しオブジェクトを情報表示エリアＣＴや余白部ＢＳに設ける。例えば、隠しオブジェクトは、使用者により指定（接触）された場合、オブジェクトＯＢ１と同じ制御を行う。操作装置１０は、表示部１３において隠しオブジェクトが配置されたエリアに使用者が接触したことを検知した場合、実行中の制御を便座装置２に止めさせるための信号を便座装置２へ送信する。
【００３９】
図１の例では、表示部１３は、領域ＡＲ１〜ＡＲ３に透明な隠しオブジェクトを設ける場合を示す。そのため、図１の例では、隠しオブジェクトが不図示であるが、隠しオブジェクトは、透明に限らず、オブジェクトＯＢ１〜ＯＢ７よりも視認性が低ければどのような態様であってもよい。隠しオブジェクトは、オブジェクトＯＢ１〜ＯＢ７に比して透明度が高く、視覚により認知し難い、または認知することが出来ないオブジェクトであればどのような態様であってもよい。
【００４０】
図１の例では、表示部１３は、余白部ＢＳのうち、オブジェクトＯＢ１〜ＯＢ７の下部に位置する領域ＡＲ１に隠しオブジェクトを配置する。表示部１３は、オブジェクトＯＢ１〜ＯＢ７と枠部１８との間に位置する領域ＡＲ１に隠しオブジェクトを設ける。すなわち、表示部１３は、オブジェクトＯＢ１〜ＯＢ７よりも枠部１８に隣接する領域ＡＲ１に隠しオブジェクトを設ける。これにより、操作装置１０は、視覚障害者の手探りにより操作装置１０を探す場合であっても、オブジェクトＯＢ１〜ＯＢ７よりも隠しオブジェクトに接触する可能性を高め、視覚障害者が実行中の制御を停止したい場合に、実行中の制御を停止する可能性を高めることができる。
【００４１】
また、表示部１３は、情報表示エリアＣＴの左側の領域ＡＲ２や右側の領域ＡＲ３に隠しオブジェクトを設ける。これにより、操作装置１０は、便座装置２による制御を停止する停止制御指示に関連するオブジェクトの面積を増大させ、視覚障害者が実行中の制御を停止したい場合に、実行中の制御を停止する可能性を高めることができる。操作装置１０は、種々の従来技術を適宜用いて、情報表示エリアＣＴに配置された隠しオブジェクトへの使用者の接触を検知可能にしてもよい。例えば、操作装置１０は、情報表示エリアＣＴに表示されるコンテンツよりも隠しオブジェクトを上位のレイヤーに配置することにより、情報表示エリアＣＴに配置された隠しオブジェクトへの使用者の接触を検知可能にしてもよい。なお、操作装置１０は、隠しオブジェクトへの使用者の接触を検知可能でれば、どのような手段により、隠しオブジェクトへの使用者の接触を検知にしてもよい。
【００４２】
また、操作装置１０は、使用者が押下可能なスイッチ部１７を枠部１８に有する。例えば、スイッチ部１７は、電源ボタンであってもよいし、便座装置２による制御を停止する停止制御指示に関連するボタンであってもよい。このように、操作装置１０は、機械的機構であるスイッチ部１７を設けることにより、そのスイッチ部１７の位置を触覚により使用者が認識することが可能となるため、視覚障害者が実行中の制御を停止したい場合に、実行中の制御を停止する可能性を高めることができる。また、操作装置１０は、健常者にとっても違和感が少ない操作画面を提供することができる。すなわち、操作装置１０は、健常者への影響を抑制し、かつ視覚障害者が装置を誤操作する可能性を低減することができる。
【００４３】
例えば、操作装置の表示部（表示面）上に点字を設けたとしても、所望の制御に対応する点字を見つけるまでに表示部に触れなければならず、視覚障害者、特に全盲の人が実行中の制御を停止したい場合に、実行中の制御を停止する可能性を高めることが難しい。また、トイレルーム内は、プライベート空間であるが故に周りにサポートしてくれる方がいないという事に加え、トイレルーム内に設置される操作装置１０の表示部に表示されるオブジェクトのレイアウトが各トイレルームで統一されていないため、視覚障害者、特に全盲の人が実行中の制御を停止したい場合に、実行中の制御を停止する可能性を高めることが難しい。
【００４４】
一方で、操作装置１０は、表示部１３を表示した複数のオブジェクトのうち、便座装置２による制御を停止する停止制御指示に関連する停止オブジェクトの面積を最も大きくする。これにより、視覚障害者、特に全盲の人が誤って便座装置２による制御を開始させた場合であっても、実行中の制御を停止したい場合に、停止オブジェクトに接触する可能性を高めることができるため、実行中の制御を停止する可能性を高めることができる。
【００４５】
また、例えば、全盲の人の利便性向上のために、トイレルーム内に設けられたスイッチを操作することによりトイレルーム内の機器の位置、および操作方法を音声にて案内を行う音声案内装置が知られている（たとえば特許文献３参照）。この場合、音声案内にはスイッチの操作が必要であるため、スイッチの位置を視覚によって認識することができない全盲の人には利便性が高いとは言い難い。また、人体検知センサによる人の検知に応じて音声案内を行うことは、健常者に対しても音声案内が出力されるため、トイレルーム内での自分の操作を他人に聞かれたくない健常者にとって使用感を損ねてしまうため、採用することは困難である。一方で、操作装置１０によれば、常に音声案内を行わずとも、従来よりも全盲の人が実行中の制御を停止するなど便座装置をスムーズに操作することが可能であり、かつ健常者の使用感も損ねないタッチパネル式の操作装置を提供することができる。
【００４６】
なお、操作装置１０は、上記のような表示部１３による表示や操作の受付け等の処理を所定のアプリケーションにより実現してもよい。また、操作装置１０は、所定のソフトウェアアプリケーション上で実行されるスクリプトを取得し、取得したスクリプト等の制御情報により、上記のような情報表示や操作受付等の情報処理を実行してもよい。例えば、制御情報は、第１の実施形態に係る操作装置１０による情報表示や操作受付等の情報処理を実現するプログラムに対応するものであり、例えば、ＣＳＳ（Cascading  Style  Sheets）、ＪａｖａＳｃｒｉｐｔ（登録商標）、ＨＴＭＬ（Hyper  Text  Markup  Language）、あるいは、上述した操作装置１０による情報表示や操作受付等の情報処理を記述可能な任意の言語によって実現される。
【００４７】
＜２．トイレシステムの外観構成＞
次に、トイレシステムの外観構成について図２を参照して説明する。図２は、トイレシステムの外観構成の一例を示す模式斜視図である。
【００４８】
図２に示すように、トイレシステム１は、便座装置２と、操作装置１０とを備える。図２に示すように、トイレルームＲには、床面Ｆに、洋式大便器（以下「便器」と記載する）７が設置されており、便座装置２は、便器７の上部に設けられる。
【００４９】
便器７は、例えば、陶器製である。便器７には、ボウル部８が形成される。ボウル部８は、下方に凹んだ形状であり、使用者の排泄物を受ける部位である。なお、便器７は、図示のような床置き式に限らず、トイレシステム１を適用可能であれば、どのような形式でもよく、壁掛け式等のような形式であってもよい。便器７には、ボウル部８が臨む開口の端部の全周にわたってリム部９が設けられる。トイレルームＲには、例えば、便器７付近に洗浄水を貯留する洗浄水タンクが設置されてもよいし、洗浄水タンクが設置されない、いわゆるタンクレス式でもよい。
【００５０】
例えば、トイレルームＲに設けられた洗浄用の洗浄操作部（図示省略）が使用者により操作されると、便器７のボウル部８への洗浄水の供給による便器洗浄が実施される。洗浄操作部は操作レバーや、操作装置１０に表示された便器洗浄オブジェクトに対するタッチ操作であってもよい。なお、洗浄操作部は、操作レバーなどのような使用者の手動によって便器洗浄を実施させるものに限らず、着座センサのような使用者を検知するセンサの人体検知によって便器洗浄を実施させるものでもよい。
【００５１】
便座装置２は、便器７の上部に取り付けられ、本体部３と、便蓋４と、着座部５と、ノズル部６とを備える。なお、便座装置２は、便器７に対して着脱可能に取り付けられてもよいし、便器７と一体化するように取り付けられてもよい。
【００５２】
図２に示すように、着座部５は、いわゆる便座であり、中央に開口を有する環状に形成され、リム部９に沿って、便器７の開口に重なる位置に配置される。そして、着座部５は、着座した使用者の臀部を支持する。また、図２に示すように、便蓋４及び着座部５は、それぞれの一端部が本体部３に軸支され、本体部３の軸支部分を中心として回動可能（開閉可能）に取り付けられる。なお、便蓋４は、便座装置２に必要に応じて取り付けられ、便座装置２は、便蓋４を有しなくてもよい。
【００５３】
ノズル部６は、局部洗浄用のノズルである。ノズル部６は、図示しない電動モータなどの駆動源の駆動により、本体部３の筐体に対して進退可能に構成される。また、ノズル部６は、図示しない水道管などの水源に接続される。そして、ノズル部６は、図２に示すように、本体部３の筐体に対して進出した位置にあるときに、水源からの水を使用者の身体へ噴出させて局部を洗浄する。
【００５４】
操作装置１０は、トイレルームＲ内に設けられる。操作装置１０は、使用者が操作可能な位置に設けられる。操作装置１０は、使用者が着座部５に着座時において、操作可能な位置に設けられる。図２に示す例において、操作装置１０は、着座部５に着座した使用者から見て右側方の壁面Ｗに配置される。なお、操作装置１０は、着座部５に着座した使用者が利用可能であれば、壁面に限らず、種々の態様により配置されてもよい。例えば、操作装置１０は、便座装置２と一体に設けられてもよいが、この点については後述する。また、トイレシステム１には、操作装置１０に限らず、後述する操作装置１０Ａ、１０Ｂ等の操作装置が含まれてもよい。
【００５５】
＜３．トイレシステムの構成及び操作装置の機能構成＞
次に、トイレシステム１の構成及び操作装置１０の機能構成について図３を参照して説明する。図３は、トイレシステムの構成の一例を示すブロック図である。具体的には、図３は、トイレシステム１の構成及びトイレシステム１に含まれる操作装置１０の機能構成を示す。トイレシステム１は、便座装置２と、操作装置１０とが含まれる。
【００５６】
便座装置２と、操作装置１０とは所定のネットワークＮを介して、有線または無線により通信可能に接続される。例えば、便座装置２と操作装置１０とは、情報の送受信が可能であれば、どのような接続であってもよく、有線により通信可能に接続されてもよいし、無線により通信可能に接続されてもよい。
【００５７】
トイレシステム１に、音声出力装置５０が含まれる場合、例えば、音声出力装置５０はトイレルームＲ内に設けられる。例えば、操作装置１０や便座装置２が音声案内を行う機能を有していてもよい。なお、図３では、音声出力装置５０を図示するが、トイレシステム１には、音声出力装置５０が含まれなくてもよい。例えば、音声出力装置５０は、便座装置２と、操作装置１０と所定のネットワークＮを介して、有線または無線により通信可能に接続され、トイレルームＲ内に音声を出力する便座装置２や操作装置１０とは異なる構成であってもよい。
【００５８】
まず、操作装置１０の構成について説明する。図３に示すように、操作装置１０は、通信部１１と、入力部１２と、表示部１３と、記憶部１４と、制御部１５と、接触検知部１６と、スイッチ部１７と、枠部１８（図１参照）とを有する。
【００５９】
通信部１１は、例えば、通信回路等によって実現される。そして、通信部１１は、所定のネットワークＮと有線または無線で接続され、外部の情報処理装置との間で情報の送受信を行う。例えば、通信部１１は、ネットワークＮと有線または無線で接続され、便座装置２や音声出力装置５０との間で情報の送受信を行う。
【００６０】
入力部１２は、使用者から各種操作が入力される。入力部１２は、タッチパネル機能により表示面（例えば表示部１３）を介して使用者からの各種操作を受け付ける。また、入力部１２は、操作装置１０に設けられたスイッチやボタン等により各種操作を受け付けてもよい。
【００６１】
入力部１２は、接触検知部１６により実現されるタッチパネルの機能によりタブレット端末等のディスプレイ（表示面、表示画面）を介して使用者から各種操作を受け付ける。すなわち、入力部１２は、操作装置１０の表示部１３を介して使用者から各種操作を受け付ける。例えば、入力部１２は、操作装置１０の表示部１３を介して使用者のオブジェクトの指定操作等の操作を受け付ける。言い換えると、入力部１２は、タッチパネルの機能により使用者の操作を受け付ける受付部として機能する。なお、入力部１２による使用者の操作の検知方式には、タブレット端末では主に静電容量方式が採用されるが、他の検知方式である抵抗膜方式、表面弾性波方式、赤外線方式、電磁誘導方式など、使用者の操作を検知できタッチパネルの機能が実現できればどのような方式を採用してもよい。また、操作装置１０は、操作装置１０にスイッチやボタン等が設けられる場合、スイッチやボタン等による操作も受け付ける入力部を有してもよい。
【００６２】
表示部１３は、例えば液晶ディスプレイや有機ＥＬ（Electro-Luminescence）ディスプレイ等によって実現されるタブレット端末等の表示画面であり、各種情報を表示するための表示装置である。つまり、操作装置１０は、表示部１３である表示画面により使用者の入力を受け付け、使用者への出力も行う。表示部１３は、各種情報を表示する。なお、表示部１３における表示の制御は、表示部１３が行ってもよいし、制御部１５の表示制御部等が行ってもよい。
【００６３】
表示部１３は、便座装置２に対する制御指示に関連する複数のオブジェクトを表示する。表示部１３は、便座装置２による制御を停止する停止制御指示に関連するオブジェクトであって、複数のオブジェクトの中で表示部１３に占める領域が最大のオブジェクトである停止オブジェクトを含む複数のオブジェクトを表示する。表示部１３には、便座装置２による制御を停止する停止制御指示に関連し、オブジェクトに比して透明度が高い隠れオブジェクトが配置される。表示部１３は、隠れオブジェクトの配置前において、便座装置２による制御を停止する停止制御指示に関連する停止オブジェクト以外の所定のオブジェクトへの使用者の接触が接触検知部１６により検知された場合に、隠れオブジェクトを配置する。
【００６４】
表示部１３は、使用者によるロック解除の操作を受け付けるロック画面を表示し、使用者による操作に応じたロック解除後において、便座装置２に対する制御指示に関連するオブジェクトを表示する。表示部１３は、所定の領域への使用者の接触が検知された場合、所定の領域とは異なる他の領域に、使用者によるロック解除の操作を受け付ける解除オブジェクトを表示する。表示部１３は、トイレルームＲへの使用者の入室が検知された場合に、使用者による操作を受け付けない他の画面を表示し、入室から所定の期間経過後に、他の画面からロック画面に表示を変更する。
【００６５】
記憶部１４は、例えば、ＲＡＭ（Random  Access  Memory）、フラッシュメモリ（Flash  Memory）等の半導体メモリ素子、または、ハードディスク、光ディスク等の記憶装置によって実現される。記憶部１４は、例えば、操作装置１０にインストールされているアプリケーション（例えばトイレ機器操作用アプリ等）に関する情報、例えばプログラム等を記憶する。記憶部１４は、操作画面等の各種画面に関する情報を記憶する。記憶部１４は、便座装置２を操作するための信号を生成するために用いる情報を記憶する。記憶部１４は、オブジェクトと制御指示とを対応付けた情報を記憶する。
【００６６】
また、記憶部１４は、使用者が指定したオブジェクトに対応する制御指示を行うかを判定するための情報を記憶する。例えば、記憶部１４は、使用者の接触がいずれの操作であるかを判定するための情報を記憶する。
【００６７】
制御部１５は、ＣＰＵ（Central  Processing  Unit）やＭＰＵ（Micro  Processing  Unit）等によって、記憶部１４に記憶されているプログラムがＲＡＭを作業領域として実行されることにより実現される。例えば、この各種プログラムは、表示処理や判定処理等の各種情報処理を行うアプリケーション（例えばトイレ機器操作用アプリ等）のプログラムが含まれる。また、制御部１５は、例えば、ＡＳＩＣ（Application  Specific  Integrated  Circuit）やＦＰＧＡ（Field  Programmable  Gate  Array）等の集積回路により実現される。
【００６８】
図３に示すように、制御部１５は、取得部１５１と、判定部１５２と、生成部１５３と、送信部１５４とを有し、以下に説明する判定処理の機能や作用を実現または実行する。なお、制御部１５の内部構成は、図３に示した構成に限られず、後述する判定処理を行う構成であれば他の構成であってもよい。また、制御部１５が有する各処理部の接続関係は、図３に示した接続関係に限られず、他の接続関係であってもよい。
【００６９】
取得部１５１は、各種情報を取得する。例えば、取得部１５１は、外部の情報処理装置から各種情報を取得する。例えば、取得部１５１は、便座装置２や音声出力装置５０から各種情報を取得する。例えば、取得部１５１は、記憶部１４から各種情報を取得する。例えば、取得部１５１は、接触検知部１６により検知されたセンサ情報を取得する。
【００７０】
判定部１５２は、種々の情報を判定する。例えば、判定部１５２は、取得部１５１により取得された各種情報を用いて種々の情報を判定する。例えば、判定部１５２は、記憶部１４に記憶された各種情報を用いて種々の情報を判定する。例えば、判定部１５２は、接触検知部１６により検知されたセンサ情報に基づいて、種々の判定を行う。
【００７１】
例えば、判定部１５２は、センサ情報に基づいて、使用者が接触したオブジェクトを特定する。例えば、判定部１５２は、センサ情報に基づいて、使用者の操作がタップ、ダブルタップ、ドラッグ、スワイプ、フリック、ピンチ、ロングタップ等のいずれの種別の操作であるかを特定する。
【００７２】
生成部１５３は、種々の生成を行なう。例えば、生成部１５３は、制御指示の信号を生成する。例えば、生成部１５３は、便座装置２を操作するための信号を生成する。例えば、生成部１５３は、使用者が接触したオブジェクトと関連する制御指示に対応する信号を生成する。
【００７３】
生成部１５３は、記憶部１４に記憶された情報を用いて、使用者が接触したオブジェクトと関連する制御指示に対応する信号を生成する。生成部１５３は、記憶部１４に記憶されたオブジェクトと制御指示とを対応付けた情報を用いて、便座装置２を操作するための信号を生成する。生成部１５３は、使用者が接触したオブジェクトを示す情報と、記憶部１４に記憶されたオブジェクトと制御指示とを対応付けた情報を用いて、便座装置２を操作するための信号を生成する。
【００７４】
送信部１５４は、種々の情報を送信する。例えば、送信部１５４は、通信部１１を制御することにより、種々の情報を送信する。送信部１５４は、通信部１１を介して、他の装置へ種々の情報を送信する。なお、送信部１５４は、制御部１５ではなく通信部１１に含まれてもよい。送信部１５４は、各種情報を便座装置２や音声出力装置５０へ送信する。送信部１５４は、記憶部１４に記憶された各種情報を他の装置へ送信する。送信部１５４は、取得部１５１により取得された各種情報を他の装置へ送信する。送信部１５４は、判定部１５２により判定された各種情報を他の装置へ送信する。送信部１５４は、生成部１５３により生成された各種情報を他の装置へ送信する。
【００７５】
送信部１５４は、表示部１３に表示されたオブジェクトへの使用者の接触が接触検知部１６により検知された場合に、オブジェクトと関連する制御指示により便座装置２を操作するための信号を送信する。送信部１５４は、接触検知部１６が、使用者による表示部１３の隠しオブジェクトが配置された領域への接触を検知した場合、便座装置２による制御を停止する停止制御指示を便座装置２に送信する。送信部１５４は、表示部１３において隠れオブジェクトが配置された領域への使用者の接触が接触検知部１６により検知された場合、便座装置が実行中の制御を停止するための信号を送信する。送信部１５４は、使用者によってスイッチ部１７が押下された場合、便座装置２が実行中の制御を停止するための信号を送信する。
【００７６】
なお、上述した制御部１５による各種の処理は、所定のアプリケーションにより行われる場合、制御部１５の各部は、例えば、所定のアプリケーションにより実現されてもよい。例えば、制御部１５による各種の処理は、外部の情報処理装置から受信した制御情報により実現されてもよい。
【００７７】
接触検知部１６は、タッチパネルの機能を実現するためのセンサである。例えば、接触検知部１６は、圧力センサを含む。例えば、接触検知部１６は、使用者が画面に接触する圧力を示す圧力情報を検知するセンサを含む。例えば、接触検知部１６は、画面における使用者の接触範囲（座標）を検知するセンサを含む。例えば、接触検知部１６は、画面において使用者が接触する位置を示す位置情報を検知するセンサを含む。例えば、接触検知部１６は、画面において使用者が接触する面積を示す面積情報を検知するセンサを含む。例えば、接触検知部１６は、種々の他の構成と連携してタッチセンサの機能を実現する。
【００７８】
接触検知部１６と、表示部１３に対する使用者の接触を検知する。接触検知部１６は、ロック画面の表示時における表示部１３の所定の領域への使用者の接触を、ロック解除の操作として検知する。接触検知部１６は、表示部１３に表示された言語選択のための言語選択オブジェクトへの使用者の接触を、ロック解除の操作として検知する。
【００７９】
スイッチ部１７は、枠部１８に設けられ、使用者が押下可能である。例えば、スイッチ部１７は、押しボタンであってもよい。スイッチ部１７は、使用者の押下に応じて、対応する処理を実行する。スイッチ部１７は、電源ボタンである場合、使用者に押下された場合、操作装置１０の電源をＯＦＦにする。また、スイッチ部１７は、停止オブジェクトに対応する処理用のボタンである場合、便座装置２が実行中の制御を停止するための信号を送信部１５４に送信させる。
【００８０】
枠部１８は、表示部１３の外周部１３１に設けられるフレームである。枠部１８は、表示部１３の外周部１３１を全周に亘った囲むフレームである。枠部１８は、種々の材料により形成されてもよい。
【００８１】
なお、操作装置１０は、音声を出力する場合、音声出力部（スピーカ）を有してもよい。また、操作装置１０は、振動を出力する場合、振動出力部（例えば振動モータ等により実現されるバイブレータ）を有してもよい。
【００８２】
＜４．便座装置の機能構成＞
次に、便座装置２の機能構成について図４を参照して説明する。図４は、便座装置の機能構成の一例を示すブロック図である。図４に示すように、便座装置２は、本体部３と、便蓋４と、着座部５と、ノズル部６とを備える。なお、図２で説明した便座装置２の外観構成の点についての説明は省略する。
【００８３】
便座装置２の本体部３は、通信部３１と、人体検知部３２と、着座検知部３３と、制御部３４とを有する。
【００８４】
通信部３１は、例えば、通信回路等によって実現される。そして、通信部３１は、図示しない所定の通信網（ネットワークＮ）と有線または無線で接続され、外部の情報処理装置との間で情報の送受信を行う。例えば、通信部３１は、ネットワークＮと有線または無線で接続され、操作装置１０や音声出力装置５０との間で情報の送受信を行う。
【００８５】
人体検知部３２は、人体を検知する機能を有する。例えば、人体検知部３２は、赤外線信号を用いた焦電センサ等により実現される。例えば、人体検知部３２は、μ（マイクロ）波を用いた焦電センサ等により実現されてもよい。なお、上記は一例であり、人体検知部３２は、上記に限らず、種々の手段により人体を検知してもよい。例えば、人体検知部３２は、トイレルームＲ（図２参照）内に入室した人（使用者など）を検知する。人体検知部３２は、検知信号を制御部３４へ出力する。
【００８６】
着座検知部３３は、便座装置２への人の着座を検知する機能を有する。着座検知部３３は、使用者が着座部５に着座したことを検知する。例えば、着座検知部３３は、荷重センサにより使用者が着座部５に着座したことを検知する。例えば、着座検知部３３は、赤外線投受光式の測距センサであり、人（使用者）が着座部５に着座する直前において着座部５の付近に存在する人体や、着座部５に着座した使用者を検知してもよい。なお、上記は一例であり、着座検知部３３は、上記に限らず、種々の手段により便座装置２への人の着座を検知してもよい。着座検知部３３は、着座検知信号を制御部３４へ出力する。
【００８７】
制御部３４は、便蓋４や着座部５やノズル部６を制御する。制御部３４は、操作装置１０から送信された信号に基づいて、便蓋４や着座部５やノズル部６を制御する。制御部３４は、操作装置１０から送信された局部洗浄に関する制御指示の信号に基づいて、ノズル部６を制御する。制御部３４は、操作装置１０から送信された便蓋開閉に関する制御指示の信号に基づいて、便蓋４を制御する。制御部３４は、操作装置１０から送信された着座部開閉に関する制御指示の信号に基づいて、着座部５を制御する。制御部３４は、有線により、便蓋４や着座部５やノズル部６に制御情報を送信する。なお、制御部３４は、無線により、便蓋４や着座部５やノズル部６に制御情報を送信してもよい。
【００８８】
制御部３４は、人体検知部３２による使用者の入室が検知されたか否かを判定する。制御部３４は、人体検知部３２によるトイレルームＲへの使用者の入室が検知されたか否かを判定する。制御部３４は、着座検知部３３による使用者の着座が検知されたか否かを判定する。制御部３４は、着座検知部３３による着座部５への使用者の着座が検知されたか否かを判定する。制御部３４は、例えば、ＣＰＵやＭＰＵやＡＳＩＣやＦＰＧＡ等の集積回路等の種々の手段により実現されてもよい。
【００８９】
なお、便座装置２には、上記に限らず種々の構成が含まれてもよい。例えば、便座装置２には、音声出力部（トイレ用擬音装置）が含まれてもよい。
【００９０】
＜５．操作装置の具体的動作＞
ここで、操作装置１０は、使用者が所定の操作を行った場合、便座装置２の制御を停止させる信号を便座装置２に送信してもよい。この点について図５を用いて説明する。図５は、操作装置が実行する処理の手順の一例を示すフローチャートである。なお、操作装置１０が行う場合を一例として説明するが、この処理は操作装置１０に限らず、後述する操作装置１０Ａ、１０Ｂ等の操作装置が行ってもよい。
【００９１】
図５に示す例では、操作装置１０は、ステップＳ１の前に表示面への接触を検知している状態であるものとする。まず、操作装置１０は、表示面への接触を検知した場合（ステップＳ１：Ｙｅｓ）、前回の接触後の所定期間内かどうかを判定する（ステップＳ２）。例えば、操作装置１０は、ステップＳ１での接触と前回の接触との間の期間（連続操作時間）がダブルタップとして検知される第１時間（数百ミリ秒等の任意の時間）を超え、かつ第２時間（数秒等の任意の時間）以下であるかどうかを判定する。例えば、操作装置１０は、連続操作時間が第１時間を超え、第２時間以下の範囲内である場合、前回の接触後の所定期間内であると判定する。なお、操作装置１０は、上記に限らず、種々の期間を用いて、判定を行ってもよい。
【００９２】
また、操作装置１０は、表示面への接触を検知していない場合（ステップＳ１：Ｎｏ）、ステップＳ１の処理を繰り返す。また、操作装置１０は、前回の接触後の所定期間内でないと判定した場合（ステップＳ２：Ｎｏ）、処理を終了する。なお、操作装置１０は、ステップＳ１に戻って処理を繰り返してもよい。
【００９３】
一方、操作装置１０は、前回の接触後の所定期間内であると判定した場合（ステップＳ２：Ｙｅｓ）、前回の接触の位置から所定範囲内かどうかを判定する（ステップＳ３）。例えば、操作装置１０は、ステップＳ１での接触の位置と前回の接触の位置との間の距離が所定の閾値以下である場合、前回の接触の位置から所定範囲内であると判定してもよい。例えば、操作装置１０は、ステップＳ１で接触したオブジェクトと前回の接触したオブジェクトとが同じである場合、前回の接触の位置から所定範囲内であると判定してもよい。なお、操作装置１０は、上記に限らず、種々の範囲を用いて、判定を行ってもよい。
【００９４】
また、操作装置１０は、前回の接触の位置から所定範囲内でないと判定した場合（ステップＳ３：Ｎｏ）、処理を終了する。なお、操作装置１０は、ステップＳ１に戻って処理を繰り返してもよい。
【００９５】
一方、操作装置１０は、前回の接触の位置から所定範囲内であると判定した場合（ステップＳ３：Ｙｅｓ）、便座装置が実行中の制御を停止する信号を送信する（ステップＳ４）。例えば、前回の接触の位置から所定範囲内であると判定した場合、操作装置１０の生成部１５３は、停止制御指示に対応する信号を生成する。そして、操作装置１０の送信部１５４は、便座装置２が実行中の制御を停止する信号を便座装置２に送信する。このように、操作装置１０の送信部１５４は、接触検知部１６が使用者によるオブジェクトが表示された表示部１３への接触を検知した後の所定期間内に、接触の位置を含む表示部１３の所定の範囲内への使用者による接触を検知した場合、便座装置２が実行中の制御を停止するための信号を送信する。
【００９６】
これにより、操作装置１０は、視覚障害者、特に全盲の人が、表示部１３に触れ、意図しない制御が実行されてしまったとしても、直前に接触した表示部１３の位置の近傍の位置に対して再び接触することで実行中の制御を停止することができる。したがって、操作装置１０は、視覚障害者が実行中の制御を停止したい場合に、実行中の制御を停止する可能性を高めることができる。
【００９７】
［第２の実施形態］
＜６．情報処理＞
操作装置は、図１に示す操作装置１０に限らず種々の態様であってもよい。例えば、操作装置１０Ａは、１つのオブジェクトを表示し、使用者によりオブジェクトへの接触に応じてオブジェクトの表示を変更してもよい。この点について、図６〜図８を用いて説明する。なお、第１の実施形態に係る操作装置１０と同様の点については、適宜説明を省略する。
【００９８】
図６の例では、操作装置１０Ａの短手方向を横に向けて使用する表示態様により、操作装置１０Ａの長手方向を上下方向とし、表示部１３Ａの短手方向を左右方向として説明するが、操作装置１０Ａの方向を規定するものではない。なお、図６においては、操作装置１０Ａに表示される画面に応じて、操作装置１０Ａ−１、１０Ａ−２として説明するが、特に区別して説明を行う場合以外は、単に「操作装置１０Ａ」とする。
【００９９】
図６の操作装置１０Ａは、表示部１３Ａに操作画面が表示された状態を示す。図６の操作装置１０Ａ−１には、便座装置２による局部洗浄の実行を開始するためのオブジェクトＯＢ２や広告や機能説明等の種々のコンテンツが表示される情報表示エリアＣＴＡが含まれる。図６に示すように、操作装置１０Ａ−１の表示部１３Ａには、上側に情報表示エリアＣＴＡが配置され、オブジェクトＯＢ２が下側に配置される。このように、操作装置１０Ａ−１は、１つのオブジェクトＯＢ２のみを表示する。
【０１００】
そして、図６の例では、操作装置１０Ａは、オブジェクトＯＢ２への使用者の接触を検知する（ステップＳ１１）。これにより、操作装置１０Ａは、局部洗浄の実行を便座装置２に開始させるための信号を便座装置２へ送信する。また、操作装置１０Ａは、表示を変更する（ステップＳ１２）。
【０１０１】
図６の例では、操作装置１０Ａは、操作装置１０Ａ−１のオブジェクトＯＢ２を表示した操作画面から、操作装置１０Ａ−２のオブジェクトＯＢ１１を表示した操作画面に表示を遷移させる。ここで、オブジェクトＯＢ１１は、便座装置２により実行中の制御を止めるためのオブジェクトである。
【０１０２】
例えば、操作装置１０Ａは、オブジェクトＯＢ１１への使用者の接触を検知した場合、実行中の制御を便座装置２に止めさせるための信号を便座装置２へ送信する。そして、操作装置１０Ａは、操作装置１０Ａ−２のオブジェクトＯＢ１１を表示した操作画面から、操作装置１０Ａ−１のオブジェクトＯＢ２を表示した操作画面に表示を遷移させる。
【０１０３】
このように、操作装置１０Ａは、使用者の接触に応じてオブジェクトの表示を動的に変更することにより、使用者が同じ位置を連続して接触することで、制御の実行、停止を行うことが可能となる。したがって、操作装置１０Ａは、視覚障害者が実行中の制御を停止したい場合に、実行中の制御を停止する可能性を高めることができる。
【０１０４】
＜７．操作装置の機能構成＞
次に、第２の実施形態に係る情報処理を実行する操作装置１０Ａの構成について説明する。図７は、第２の実施形態に係る操作装置の機能構成の一例を示す図である。
【０１０５】
図７に示すように、操作装置１０Ａは、通信部１１と、入力部１２と、表示部１３Ａと、記憶部１４と、制御部１５と、接触検知部１６と、枠部１８Ａ（図６参照）とを有する。
【０１０６】
表示部１３Ａは、図３に示す表示部１３と同様に各種情報を表示するための表示装置である。つまり、操作装置１０Ａは、表示部１３Ａである表示画面により使用者の入力を受け付け、使用者への出力も行う。表示部１３Ａは、便座装置に対する制御指示に関連するオブジェクトを表示する。表示部１３Ａは、使用者のオブジェクトへの接触に応じて、表示を変更する。
【０１０７】
枠部１８Ａは、図３に示す枠部１８と同様に、表示部１３Ａの外形に応じた形状を有するフレームである。枠部１８Ａは、表示部１３Ａの外周を囲むフレームである。
【０１０８】
＜８．操作装置の具体的動作＞
次に、操作装置１０Ａの具体的動作について図８を参照して説明する。図８は、第２の実施形態に係る操作装置が実行する処理の手順の一例を示すフローチャートである。
【０１０９】
図８に示す例では、操作装置１０Ａは、ステップＳ２１の前にオブジェクトが表示されている状態であるものとする。操作装置１０Ａは、オブジェクトへの接触を検知した場合（ステップＳ２１：Ｙｅｓ）、接触されたオブジェクトを停止オブジェトに表示を変更する（ステップＳ２２）。例えば、操作装置１０Ａは、表示部１３Ａに表示したオブジェクトＯＢ２が使用者に接触された場合、オブジェクトＯＢ２を停止オブジェクトであるオブジェクトＯＢ１１に変更する。また、操作装置１０Ａは、オブジェクトへの接触を検知していない場合（ステップＳ２１：Ｎｏ）、ステップＳ２１の処理を繰り返す。
【０１１０】
［第３の実施形態］
＜９．情報処理＞
操作装置は、図１に示す操作装置１０に限らず種々の態様であってもよい。例えば、操作装置１０Ｂは、使用者による接触の関係性に基づいて操作が異常かどうかを判定してもよい。この点について、図９〜図１２を用いて説明する。なお、第１の実施形態に係る操作装置１０と同様の点については、適宜説明を省略する。
【０１１１】
まず、第３の実施形態に係る操作装置において実行される情報処理の内容について図９を参照して説明する。図９は、第３の実施形態に係る操作装置の一例を示す図である。
【０１１２】
図９の操作装置１０Ｂは、表示部１３に操作画面が表示された状態を示す。操作画面には、種々の機能を実行するオブジェクトＢ１〜Ｂ２０が含まれる。なお、図９に示すオブジェクトＢ１〜Ｂ２０は、一例であり、オブジェクトＢ１〜Ｂ２０に限らず、種々のオブジェクトが含まれてもよい。また、図９の例では、オブジェクト間の関係性の説明のために、各機能のオブジェクトＢ１〜Ｂ２０を単純な矩形で示すが、各オブジェクトは、オブジェクトの選択に応じて実行される機能に応じて種々の表示態様であってもよい。例えば、温度設定機能に関するオブジェクトＢ１３〜Ｂ１５には、温度を上下させるための「＋」や「−」といった表示が含まれてもよい。また、図９に示す操作装置１０Ｂの表示部１３には、上側に情報表示エリアが配置されてもよい。
【０１１３】
オブジェクトＢ１〜Ｂ３は、局部洗浄機能に関するオブジェクトである。オブジェクトＢ１は、便座装置２に局部洗浄を実行させるためのオブジェクトである。オブジェクトＢ２は、所定の態様で便座装置２に局部洗浄を実行させるためのオブジェクトである。オブジェクトＢ３は、所定の態様で便座装置２に局部洗浄を実行させるためのオブジェクトである。以下では、オブジェクトＢ１〜Ｂ３を併せて「局部洗浄機能オブジェクト」と記載する場合がある。
【０１１４】
また、オブジェクトＢ４〜Ｂ７は、局部洗浄補助機能に関するオブジェクトである。オブジェクトＢ４は、便座装置２による局部洗浄の水勢を調整するためのオブジェクトである。オブジェクトＢ５は、便座装置２による局部洗浄の洗浄位置を調整するためのオブジェクトである。オブジェクトＢ６は、便座装置２による局部洗浄の態様を調整するためのオブジェクトである。オブジェクトＢ７は、便座装置２による局部洗浄の態様を調整するためのオブジェクトである。以下では、オブジェクトＢ４〜Ｂ７を併せて「局部洗浄補助機能オブジェクト」と記載する場合がある。
【０１１５】
オブジェクトＢ８は、停止機能に関するオブジェクトである。オブジェクトＢ８は、便座装置２により実行中の制御を止めるためのオブジェクトである。以下では、オブジェクトＢ８を「停止機能オブジェクト」と記載する場合がある。
【０１１６】
オブジェクトＢ９は、乾燥機能に関するオブジェクトである。オブジェクトＢ９は、便座装置２に乾燥機能を実行させるためのオブジェクトである。以下では、オブジェクトＢ９を「乾燥機能オブジェクト」と記載する場合がある。
【０１１７】
オブジェクトＢ１０は、便座開閉機能に関するオブジェクトである。オブジェクトＢ１０は、便座装置２に便座（着座部５）やふた（便蓋４）の開閉を実行させるためのオブジェクトである。以下では、オブジェクトＢ１０を「便座開閉機能オブジェクト」と記載する場合がある。
【０１１８】
オブジェクトＢ１１、Ｂ１２は、お掃除機能に関するオブジェクトである。オブジェクトＢ１１は、便座装置２のノズル部６を除菌水で殺菌する殺菌処理を行うためのオブジェクトである。オブジェクトＢ１２は、便座装置２の便器７のボウル部８を除菌水で殺菌する殺菌処理を行うためのオブジェクトである。以下では、オブジェクトＢ１１、Ｂ１２を併せて「お掃除機能オブジェクト」と記載する場合がある。
【０１１９】
オブジェクトＢ１３〜Ｂ１５は、温度設定機能に関するオブジェクトである。オブジェクトＢ１３は、便座装置２が実行する吐水の温度を設定するためのオブジェクトである。オブジェクトＢ１４は、便座装置２が実行する乾燥の温度を設定するためのオブジェクトである。オブジェクトＢ１５は、便座装置２の便座（着座部５）の温度を設定するためのオブジェクトである。以下では、オブジェクトＢ１３〜Ｂ１５を併せて「温度設定機能オブジェクト」と記載する場合がある。温度設定機能オブジェクトであるオブジェクトＢ１３〜Ｂ１５には、温度を上下させるための「＋」や「−」といった表示が含まれてもよい。
【０１２０】
オブジェクトＢ１６は、音声出力機能に関するオブジェクトである。オブジェクトＢ１６は、便座装置２に所定の音を出力させるためのオブジェクトである。以下では、オブジェクトＢ１６を「音声出力機能オブジェクト」と記載する場合がある。
【０１２１】
オブジェクトＢ１７は、言語選択機能に関するオブジェクトである。オブジェクトＢ１７は、トイレの利用に関する情報を操作装置１０Ｂに表示したり音声出力したりする際の言語を選択するためのオブジェクトである。以下では、オブジェクトＢ１７を「言語選択機能オブジェクト」と記載する場合がある。
【０１２２】
オブジェクトＢ１８、Ｂ１９は、便器洗浄機能に関するオブジェクトである。オブジェクトＢ１８は、便座装置２の便器７（例えばボウル部８）の洗浄を行うためのオブジェクトである。オブジェクトＢ１９は、便座装置２の便器７（例えばボウル部８）の洗浄を所定の態様で行うためのオブジェクトである。以下では、オブジェクトＢ１８、Ｂ１９を併せて「便器洗浄機能オブジェクト」と記載する場合がある。
【０１２３】
オブジェクトＢ２０は、脱臭機能に関するオブジェクトである。オブジェクトＢ２０は、便座装置２に脱臭機能を実行させるためのオブジェクトである。以下では、オブジェクトＢ２０を「脱臭機能オブジェクト」と記載する場合がある。
【０１２４】
操作装置１０Ｂは、表示部１３に表示された各オブジェクトＢ１〜Ｂ２０への使用者の接触（選択）に応じて、選択されたオブジェクトに対応する機能を実行するための処理を行う。例えば、操作装置１０Ｂは、表示部１３に表示されたオブジェクトＢ１に使用者が接触したことを検知した場合、局部洗浄の実行を便座装置２に開始させるための信号を便座装置２へ送信する。また、操作装置１０Ｂは、表示部１３に表示されたオブジェクトＢ８に使用者が接触したことを検知した場合、実行中の制御を便座装置２に止めさせるための信号を便座装置２へ送信する。
【０１２５】
ここで、操作装置１０Ｂは、最初に接触したオブジェクト（以下「第１オブジェクト」ともいう）と第１オブジェクトの次に接触したオブジェクト（以下「第２オブジェクト」ともいう）との関連性に基づいて、使用者による操作が異常であるかどうかを判定する。このように、操作装置１０Ｂは、ある接触（第１の接触）に対応する第１オブジェクトと、その次の接触（第２の接触）に対応する第２オブジェクトとの関連性に基づいて、使用者による操作が異常であるかどうかを判定する。この点について以下説明する。
【０１２６】
図９の例では、操作装置１０Ｂは、オブジェクトＢ１への使用者の接触を検知する（ステップＳ４１）。この場合、操作装置１０Ｂは、局部洗浄機能オブジェクトであるオブジェクトＢ１への使用者の接触（第１の接触）に応じて、局部洗浄の実行を便座装置２に開始させるための信号を便座装置２へ送信する。
【０１２７】
そして、操作装置１０Ｂは、オブジェクトＢ１１への使用者の接触を検知する（ステップＳ４２）。操作装置１０Ｂは、お掃除機能オブジェクトであるオブジェクトＢ１１への使用者の接触（第２の接触）に応じて、使用者の操作が異常かどうかを判定する。
【０１２８】
操作装置１０Ｂは、オブジェクトＢ１を第１オブジェクトとし、オブジェクトＢ１１を第２オブジェクトとした場合、第１オブジェクトと第２オブジェクトとの関連性に基づいて、使用者による操作が異常であるかどうかの判定（以下「異常判定」ともいう）を行う。例えば、操作装置１０Ｂは、記憶部１４Ｂ（図１０参照）に記憶された情報（以下「判定用情報」ともいう）を用いて異常判定を行う。
【０１２９】
例えば、判定用情報は、第１オブジェクトと第２オブジェクトとの対応付けごとに、その関係性が異常であるか否かを示す一覧情報を含んでもよい。判定用情報は、第１オブジェクトが局部洗浄機能オブジェクトであり、第２オブジェクトが局部洗浄補助機能オブジェクトである場合、その関係性が正常であることを示す情報を含む。また、判定用情報は、第１オブジェクトが局部洗浄機能オブジェクトであり、第２オブジェクトが停止機能オブジェクトである場合、その関係性が正常であることを示す情報を含む。判定用情報は、第１オブジェクトが局部洗浄機能オブジェクトであり、第２オブジェクトが乾燥機能オブジェクトである場合、その関係性が正常であることを示す情報を含む。
【０１３０】
また、判定用情報は、第１オブジェクトが局部洗浄機能オブジェクトであり、第２オブジェクトが温度設定機能オブジェクトである場合、その関係性が正常であることを示す情報を含む。判定用情報は、第１オブジェクトが局部洗浄機能オブジェクトであり、第２オブジェクトが音声出力機能オブジェクトである場合、その関係性が正常であることを示す情報を含む。判定用情報は、第１オブジェクトが局部洗浄機能オブジェクトであり、第２オブジェクトが言語選択機能オブジェクトである場合、その関係性が正常であることを示す情報を含む。判定用情報は、第１オブジェクトが局部洗浄機能オブジェクトであり、第２オブジェクトが便器洗浄機能オブジェクトである場合、その関係性が正常であることを示す情報を含む。判定用情報は、第１オブジェクトが局部洗浄機能オブジェクトであり、第２オブジェクトが脱臭機能オブジェクトである場合、その関係性が正常であることを示す情報を含む。
【０１３１】
また、判定用情報は、第１オブジェクトが局部洗浄機能オブジェクトであり、第２オブジェクトが便座開閉機能オブジェクトである場合、その関係性が異常であることを示す情報を含む。判定用情報は、第１オブジェクトが局部洗浄機能オブジェクトであり、第２オブジェクトがお掃除機能オブジェクトである場合、その関係性が異常であることを示す情報を含む。なお、上記第１オブジェクトと第２オブジェクトとの関係性が異常かどうかは一例であり、用途や機能により種々設定されてもよい。
【０１３２】
図９の例では、操作装置１０Ｂは、判定用情報のうち、局部洗浄機能オブジェクトが第１オブジェクトである場合に、第２オブジェクトがお掃除機能オブジェクトであれば、その関係性が異常であることを示す情報が含まれるため、使用者による操作が異常であると判定する（ステップＳ４３）。そのため、操作装置１０Ｂは、便座装置２が実行中の局部洗浄を停止させるための信号を便座装置２へ送信する（ステップＳ４４）。このように、操作装置１０Ｂは、お掃除機能を実行するための信号ではなく、便座装置２が実行中の局部洗浄を停止させるための信号を便座装置２へ送信する。
【０１３３】
このように、操作装置１０Ｂは、使用者が接触したオブジェクト間の関係性に基づいて、使用者の操作が異常かどうかを判定することにより、全盲の人等の視覚障害者が誤って操作した場合であっても、即時に実行を停止することができる。これにより、操作装置１０Ｂは、視覚障害者が実行中の制御を停止したい場合に、実行中の制御を停止する可能性を高めることができる。
【０１３４】
なお、図９の例では、使用者の１回の第２オブジェクトの操作に基づいて、異常を判定する例を示したが、操作装置１０Ｂは、種々の態様により異常を判定してもよい。例えば、操作装置１０Ｂは、局部洗浄機能オブジェクトの選択後の吐水実行中において、局部洗浄機能オブジェクトとの関係性が異常であるオブジェクトが所定の回数（例えば３回等）以上選択された場合、吐水を停止する機能を実行してもよい。また、図９の例では、局部洗浄機能オブジェクトと他のオブジェクトの関係性を一例として説明したが、操作装置１０Ｂは、局部洗浄機能オブジェクト以外のオブジェクト間の関係性に基づいて、異常判定を行ってもよい。
【０１３５】
また、操作装置１０Ｂは、第１オブジェクトと第２オブジェクトとの関係性が正常である場合、第２オブジェクトに基づいて対応する処理が実行される。例えば、操作装置１０Ｂは、局部洗浄機能オブジェクトの選択後の吐水実行中において、停止機能オブジェクト、または乾燥機能オブジェクトが選択された場合、吐水を停止して、対応する処理が実行される。
【０１３６】
また、操作装置１０Ｂは、局部洗浄機能オブジェクトの選択後の吐水実行中において、局部洗浄補助機能オブジェクト、温度設定機能オブジェクト、音声出力機能オブジェクト、言語選択機能オブジェクト、便器洗浄機能オブジェクト、脱臭機能オブジェクトのいずれかが選択された場合、吐水を維持したまま、対応する処理が実行される。
【０１３７】
また、操作装置１０Ｂは、オブジェクトの関係性に基づいて、表示態様を変更してもよい。例えば、操作装置１０Ｂは、局部洗浄機能オブジェクトの選択後の吐水実行中において、便座開閉機能オブジェクトやお掃除機能オブジェクトを表示しなくてもよい。
【０１３８】
なお、図９の例では、操作装置１０Ｂは、接触したオブジェクトの関係性に基づいて、使用者の操作が異常かどうかを判定したが、オブジェクトに限らず、使用者の接触位置の関係性に基づいて、操作が異常かどうかを判定してもよい。例えば、操作装置１０Ｂは、使用者が同じ位置に連続して接触する場合、操作が異常であると判定してもよい。
【０１３９】
＜１０．操作装置の機能構成＞
次に、第３の実施形態に係る情報処理を実行する操作装置１０Ｂの構成について説明する。図１０は、第３の実施形態に係る操作装置の機能構成の一例を示す図である。
【０１４０】
図１０に示すように、操作装置１０Ｂは、通信部１１と、入力部１２と、表示部１３と、記憶部１４Ｂと、制御部１５Ｂと、接触検知部１６と、枠部１８とを有する。
【０１４１】
記憶部１４Ｂは、例えば、ＲＡＭ、フラッシュメモリ等の半導体メモリ素子、または、ハードディスク、光ディスク等の記憶装置によって実現される。記憶部１４Ｂは、異常判定を行うために用いる情報を記憶する。記憶部１４Ｂは、図９で説明した判定用情報を記憶する。例えば、記憶部１４Ｂは、第１オブジェクトと第２オブジェクトとの対応付けごとに、その関係性が異常であるか否かを示す一覧情報を記憶する。
【０１４２】
制御部１５Ｂは、取得部１５１と、判定部１５２Ｂと、生成部１５３と、送信部１５４とを有する。
【０１４３】
判定部１５２Ｂは、図３に示す判定部１５２と同様に種々の判定を行う。例えば、判定部１５２Ｂは、接触検知部１６により検知された使用者による表示部１３への第１接触と、第１接触の後において、接触検知部１６により検知された使用者による表示部１３への第２接触との関係を判定する。判定部１５２Ｂは、使用者による表示部１３に表示された第１オブジェクトへの第１接触と、第２接触との関係を判定する。判定部１５２Ｂは、第１接触と、使用者による表示部１３に表示された第２オブジェクトへの第２接触とにより、第１オブジェクトと第２オブジェクトとの関係を判定する。判定部１５２Ｂは、第１オブジェクトと第２オブジェクトとの関連性に基づいて、使用者による操作が異常であるかどうかを判定する。
【０１４４】
送信部１５４は、判定部１５２Ｂにより判定された関係に基づいて、使用者による操作が異常であると判定された場合、便座装置２が実行中の制御を停止するための信号を送信する．
【０１４５】
＜１１．操作装置の具体的動作＞
次に、操作装置１０Ｂの具体的動作について図１１及び図１２を参照して説明する。図１１及び図１２は、第３の実施形態に係る操作装置が実行する処理の手順の一例を示すフローチャートである。
【０１４６】
図１１に示す例では、操作装置１０Ｂは、接触検知部１６が使用者による第１の接触を検知する（ステップＳ５１）。操作装置１０Ｂは、制御部１５Ｂにより表示画面を変更する（ステップＳ５２）。例えば、操作装置１０Ｂは、第１の接触に応じて、表示部１３の表示を変更する。なお、操作装置１０Ｂは、第１の接触に応じて表示を変更しない場合、ステップＳ５２の処理を行わなくてもよい。
【０１４７】
操作装置１０Ｂは、接触検知部１６が使用者による第２の接触を検知する（ステップＳ５３）。そして、操作装置１０Ｂは、ステップＳ５１の第１の接触とステップＳ５３の第２の接触とに基づいて、停止判定処理を実行する（ステップＳ６０）。操作装置１０Ｂは、図１２に示すような停止判定処理を実行する。
【０１４８】
操作装置１０Ｂは、第２の接触が停止制御に関連するか否かを判定する（ステップＳ６１）。操作装置１０Ｂは、第２の接触が停止制御に関連しないと判定した場合（ステップＳ６１：Ｎｏ）、第１の接触と、第２の接触の関係性を判定する（ステップＳ６２）。操作装置１０Ｂは、第１の接触と、第２の接触の関係性が異常でない場合（ステップＳ６３：Ｎｏ）、停止判定処理を終了する。なお、この場合、操作装置１０Ｂは、第２の接触に対応する信号を便座装置２に送信してもよい。例えば、第２の接触がオブジェクトの選択である場合、操作装置１０Ｂは、選択されたオブジェクトに対応する制御を行わせるための信号を便座装置２に送信してもよい。
【０１４９】
一方、操作装置１０Ｂは、第１の接触と、第２の接触の関係性が異常である場合（ステップＳ６３：Ｙｅｓ）、停止制御信号を便座装置に送信する（ステップＳ６４）。そして、操作装置１０Ｂは、停止判定処理を終了する。また、操作装置１０Ｂは、第２の接触が停止制御に関連すると判定した場合（ステップＳ６１：Ｙｅｓ）、停止制御信号を便座装置２に送信する（ステップＳ６４）。そして、操作装置１０Ｂは、停止判定処理を終了する。
【０１５０】
＜１２．他の装置構成例＞
なお、装置構成は上記に限らず、種々の構成であってもよい。例えば、便座装置は、操作装置と一体であってもよい。図１３は、便座装置の他の構成の一例を示すブロック図である。なお、図４と同様の点については適宜説明を省略する。
【０１５１】
図１３に示すように、便座装置２Ａは、操作装置１０を含む。例えば、便座装置２Ａにおいて、操作装置１０は、本体部３に情報の送受信可能に接続される。例えば、操作装置１０は、本体部３と有線により接続されてもよいし、制御部３４に直接接続されてもよい。便座装置２Ａにおいて、操作装置１０は、着座部５の側部に配置されてもよい。なお、図１３に示す便座装置２Ａに含まれる操作装置は、操作装置１０に限らず、前述した操作装置１０Ａ、１０Ｂ等の操作装置であってもよい。また、上述したトイレシステム１には、便座装置２に替えて、便座装置２Ａが含まれてもよい。
【０１５２】
以下では、図１４〜図１８についての処理を操作装置１０が行う場合を一例として説明するが、図１４〜図１８に示す処理は、操作装置１０に限らず、前述した操作装置１０Ａ、１０Ｂ等の操作装置が行ってもよい。
【０１５３】
＜１３．操作装置の表示＞
なお、上記例では、操作装置１０が操作画面を表示する場合を示したが、操作装置１０は種々の画面を表示してもよい。この点について、図１４及び図１５を用いて説明する。図１４は、トイレシステムが実行する処理の手順の一例を示すフローチャートである。具体的には、図１４は、使用者の入室から操作画面の表示までにトイレシステム１が実行する処理の手順の一例を示すフローチャートである。図１５は、操作装置が実行する画面遷移の一例を示す図である。なお、図１５においては、操作装置１０に表示される画面に応じて、操作装置１０−１〜１０−４として説明するが、特に区別して説明を行う場合以外は、単に「操作装置１０」とする。図１５に示す操作装置１０−１は、使用者の入室を検知する前の待機画面の状態を示す。操作装置１０−１の待機画面は何も表示されていない状態であってもよい。
【０１５４】
図１４に示すように、トイレシステム１は、入室を検知した場合（ステップＳ１０１：Ｙｅｓ）、ウェルカム画面に表示を変更する（ステップＳ１０２）。例えば、便座装置２は、トイレルームＲ（図２参照）への使用者の入室を検知した場合、入室の検知を示す情報を操作装置１０に送信する。なお、入室の検知が可能であれば、どのような手段により検知が行われてもよく、操作装置１０が入室を検知してもよいし、トイレのドアセンサ等により、使用者の入室を検知してもよい。
【０１５５】
入室の検知を示す情報を取得した操作装置１０は、ウェルカム画面に表示を変更する。図１５の例では、操作装置１０は、操作装置１０−１の待機画面から、操作装置１０−２のウェルカム画面に表示を遷移させる。操作装置１０−２のウェルカム画面には、「Ｗｅｌｃｏｍｅ  ＸＸ  Ｔｏｉｌｅｔ」といった所定の情報が含まれる。例えば、トイレシステム１は、ウェルカム画面を表示する際に、「ようこそ、ＸＸトイレへ」といった所定の音声を出力してもよい。
【０１５６】
なお、トイレシステム１は、入室を検知していない場合（ステップＳ１０１：Ｎｏ）、ステップＳ１０１の処理を繰り返す。操作装置１０は、操作装置１０−１の待機画面の状態を継続する。
【０１５７】
そして、トイレシステム１は、ウェルカム画面の表示後に、ロック画面に表示を変更する（ステップＳ１０３）。ウェルカム画面を表示した操作装置１０は、ウェルカム画面の表示から所定の時間（例えば５秒や１０秒等の任意の時間）が経過した後、ロック画面に表示を変更する。図１５の例では、操作装置１０は、操作装置１０−２のウェルカム画面から、操作装置１０−３のロック画面に表示を遷移させる。操作装置１０−３のロック画面には、「Ｌｅｔ’s  ｔｒｙ」や「ロック解除」といった所定の情報が含まれる。
【０１５８】
なお、操作装置１０は、ロック画面の表示時において、便座装置２に対する制御指示に関連するオブジェクトの表示状態はいずれでもよい。例えば、操作装置１０は、オブジェクトを表示する場合、オブジェクトに触れられたとしても、信号（通信信号）を生成しなくてもよいし、信号（通信信号）を送信しなくてもよい。
【０１５９】
トイレシステム１は、ロック解除を検知した場合（ステップＳ１０４：Ｙｅｓ）、操作画面に表示を変更する（ステップＳ１０５）。図１５の例では、操作装置１０は、操作装置１０−３のロック画面から、操作装置１０−４の操作画面に表示を遷移させる。例えば、操作装置１０は、オブジェクトが配置される第１の領域やオブジェクトが配置されない第２の領域を含む操作画面を表示する。例えば、操作画面中の映像表示画面は操作可能であってもよいし、不可能であってもよい。なお、トイレシステム１は、ロック解除を検知しなかった場合（ステップＳ１０４：Ｎｏ）、ステップＳ１０３の処理を繰り返す。操作装置１０は、操作装置１０−３のロック画面の状態を継続する。
【０１６０】
例えば、トイレシステム１は、種々の態様により、ロック解除を受け付けてもよい。例えば、トイレシステム１は、操作装置１０に７種のタッチ操作（タップ、ダブルタップ、ロングタップ、ドラッグ、スワイプ、フリック、ピンチ）のいずれかにより解除されるロックオブジェクトを表示し、表示したロックオブジェクトによりロック解除を受け付けてもよい。また、トイレシステム１は、使用者の音声による指示でロック解除を受け付けてもよい。また、トイレシステム１は、便座装置２への着座をロック解除として検知してもよい。なお、上記のロック解除は一例であり、どのような手段によりロック解除が行われてもよい。ロック解除の他の例についての詳細は後述する。
【０１６１】
なお、図１５の例では、使用者の入室から操作画面の表示までの画面の遷移について図示したが、操作装置１０は、使用者のトイレの利用から退室までについても同様に画像を遷移させてもよい。
【０１６２】
例えば、操作画面の表示後において、操作装置１０は、使用者の退室の検知が行われた場合、操作画面から所定の画面（サンキュー画面）に表示を遷移する。サンキュー画面は、「Ｔｈａｎｋ  ｙｏｕ」といった所定の情報が含まれてもよい。また、トイレシステム１は、サンキュー画面を表示する際に、「ＸＸトイレのご利用ありがとうございました」といった所定の音声を出力してもよい。
【０１６３】
例えば、操作装置１０は、使用者の着座状態の解除が検知された場合、使用者の退室が行われるとして、サンキュー画面を表示してもよい。例えば、操作装置１０は、トイレのドアセンサ等により使用者のドアへの操作が検知された場合、サンキュー画面を表示してもよい。
【０１６４】
サンキュー画面を表示した操作装置１０は、サンキュー画面の表示から所定の時間（例えば３秒や１５秒等の任意の時間）が経過した後、待機画面に表示を変更する。
【０１６５】
＜１４．機能説明の動作例＞
操作装置１０は、オブジェクトの機能を説明する動画等を表示してもよい。この点について、図１６を用いて説明する。図１６は、操作装置が実行する機能説明の処理の手順の一例を示すフローチャートである。
【０１６６】
図１６の例では、操作装置１０は、操作画面を表示する（ステップＳ２０１）。例えば、操作装置１０は、使用者によるロック解除後において操作画面を表示する。
【０１６７】
図１６に示すように、操作装置１０は、機能説明オブジェクトに接触を検知していない場合（ステップＳ２０２：Ｎｏ）、操作装置１０が使用されることなく所定時間経過したかどうかを判定する（ステップＳ２０３）。例えば、操作装置１０は、操作画面が表示された時点または最後に操作装置１０が使用された時点から、操作装置１０が使用されることなく所定時間（例えば３０秒や１分等）経過したかどうかを判定する。
【０１６８】
操作装置１０は、操作装置１０が使用されることなく所定時間経過したと判定した場合（ステップＳ２０３：Ｙｅｓ）、機能説明の映像を表示する（ステップＳ２０４）。例えば、操作装置１０は、操作装置１０が使用されることなく所定時間経過したと判定した場合、所定の機能説明オブジェクトに対応するオブジェクトの機能を説明する動画を再生する。例えば、操作装置１０は、操作装置１０が使用されることなく所定時間経過したと判定した場合、ランダムに選択した機能説明オブジェクトに対応するオブジェクトの機能を説明する動画を再生する。
【０１６９】
一方、操作装置１０は、操作装置１０が使用されることなく所定時間経過していないと判定した場合（ステップＳ２０３：Ｎｏ）、ステップＳ２０２に戻って処理を繰り返す。
【０１７０】
また、操作装置１０は、機能説明オブジェクトに接触を検知した場合（ステップＳ２０２：Ｙｅｓ）、機能説明の映像を表示する（ステップＳ２０４）。例えば、操作装置１０は、機能説明オブジェクトに接触を検知した場合、その機能説明オブジェクトに対応するオブジェクトの機能を説明する動画を再生する。操作装置１０は、図１に示すオブジェクトＯＢ２〜ＯＢ４の右下に配置された機能説明オブジェクトＩＯ２〜ＩＯ４のいずれかに使用者が接触した場合、接触した機能説明オブジェクトに対応するオブジェクトの機能を説明する動画を情報表示エリアＣＴに表示（再生）する。例えば、操作装置１０は、機能説明オブジェクトＩＯ４に使用者が接触した場合、情報表示エリアＣＴにオブジェクトＯＢ４に関する機能説明のコンテンツを表示する。
【０１７１】
そして、操作装置１０は、他のオブジェクトに接触したか否かを判定する（ステップＳ２０５）。操作装置１０は、他のオブジェクトに接触していない場合（ステップＳ２０５：Ｎｏ）、機能説明オブジェクトに接触してから所定時間経過したかどうかを判定する（ステップＳ２０６）。例えば、操作装置１０は、機能説明オブジェクトＩＯ２〜ＩＯ４のいずれかに使用者が接触した時点または機能説明の映像の表示開始の時点から、所定時間（例えば機能説明の映像の再生時間等）経過したかどうかを判定する。
【０１７２】
操作装置１０は、機能説明オブジェクトに接触してから所定時間経過していないと判定した場合（ステップＳ２０６：Ｎｏ）、ステップＳ２０５に戻って処理を繰り返す。
【０１７３】
一方、操作装置１０は、機能説明オブジェクトに接触してから所定時間経過したと判定した場合（ステップＳ２０６：Ｙｅｓ）、機能説明の表示を終了する（ステップＳ２０７）。また、操作装置１０は、他のオブジェクトに接触したと判定した場合（ステップＳ２０５：Ｙｅｓ）、機能説明の表示を終了する（ステップＳ２０７）。そして、操作装置１０は、ステップＳ２０７後、ステップＳ２０１に戻って処理を繰り返す。なお、操作装置１０は、ステップＳ２０７後において操作画面の表示の変更が無い場合、ステップＳ２０２に戻って処理を繰り返してもよい。
【０１７４】
＜１５．ロックの解除例＞
操作装置１０は、種々の態様により使用者にロック解除を行わせてもよい。この点について、図１７を用いて説明する。図１７は、操作装置が実行するロック解除における画面遷移の一例を示す図である。
【０１７５】
図１７に示すように、操作装置１０は、使用者に２段階のロック解除操作を行わせてもよい。なお、図１７においては、操作装置１０に表示される画面に応じて、操作装置１０−３、１０−３１、１０−４として説明するが、特に区別して説明を行う場合以外は、単に「操作装置１０」とする。図１７に示す操作装置１０−３及び操作装置１０−４は、図１５に示す操作装置１０−３及び操作装置１０−４と同様である。
【０１７６】
図１７に示す操作装置１０−３には第１ロック画面が表示されており、表示部１３の領域ＡＲ３１には、使用者の接触をロック解除の操作として検知するオブジェクトＯＢ３１が表示される。操作装置１０は、オブジェクトＯＢ３１が表示された領域ＡＲ３１への使用者の接触を検知する（ステップＳ３１）。
【０１７７】
これにより、操作装置１０は、画面を遷移する（ステップＳ３２）。図１７の例では、操作装置１０は、操作装置１０−３の第１ロック画面から、操作装置１０−３１の第２ロック画面に表示を遷移させる。
【０１７８】
操作装置１０−３１の第２ロック画面には、表示部１３の領域ＡＲ３１とは異なる位置にある表示部１３の領域ＡＲ３２に、使用者によるロック解除の操作を確定するロック解除オブジェクトＯＢ３２が配置される。操作装置１０の表示部１３において、領域ＡＲ３１の範囲と領域ＡＲ３２の範囲とは重ならない。図１７の例では、操作装置１０−３１の第２ロック画面において、ロック解除オブジェクトＯＢ３２が配置される領域ＡＲ３２は、表示部１３の端部に配置される。これにより、操作装置１０は、全盲の人等の視覚障害者が操作装置１０を触って、意図せずにロック画面を解除してしまう可能性をさらに低減することができる。
【０１７９】
また、操作装置１０−３１の第２ロック画面には、「画面のスタートボタンにタッチしてロックを解除してください」といった使用者へロック解除方法を示す文字情報が表示される。これにより、操作装置１０は、健常者にはロック解除する方法を具体的に通知することができるため、健常者がロック画面を解除できない可能性を低減することができる。
【０１８０】
操作装置１０は、ロック解除オブジェクトＯＢ３２が表示された領域ＡＲ３２への使用者の接触を検知する（ステップＳ３３）。
【０１８１】
これにより、操作装置１０は、ロックを解除する（ステップＳ３４）。例えば、操作装置１０は、画面を遷移する。図１７の例では、操作装置１０は、操作装置１０−３１の第２ロック画面から、操作装置１０−４の操作画面に表示を遷移させる。
【０１８２】
＜１６．他の操作を利用したロックの解除例＞
操作装置１０は、使用者による他の操作をロック解除として受け付けてもよい。この点について、図１８を用いて説明する。図１８は、操作装置が実行するロック解除における画面遷移の他の一例を示す図である。
【０１８３】
図１８に示すように、操作装置１０は、使用者による言語選択をロック解除操作として受け付けてもよい。なお、図１８においては、操作装置１０に表示される画面に応じて、操作装置１０−３５、１０−３６、１０−４として説明するが、特に区別して説明を行う場合以外は、単に「操作装置１０」とする。図１８に示す操作装置１０−４は、図１５に示す操作装置１０−４と同様である。なお、図１８に示す操作装置１０−３５のロック画面（以下「第１ロック画面」ともいう）は、図１７に示す操作装置１０−３の第１ロック画面と、オブジェクトが言語選択のオブジェクトである点で相違する。例えば、図１８に示す言語選択のオブジェクトＯＢ７は、図１中のオブジェクトＯＢ７と同様であり、トイレの利用に関する情報を操作装置１０に表示したり音声出力したりする際の言語を選択するためのオブジェクトである。
【０１８４】
図１８に示す操作装置１０−３５には第１ロック画面が表示されており、表示部１３の領域ＡＲ３５には、使用者が言語選択を行うためのオブジェクトＯＢ７が表示される。操作装置１０は、オブジェクトＯＢ７が表示された領域ＡＲ３５への使用者の接触を検知する（ステップＳ３５）。
【０１８５】
これにより、操作装置１０は、選択可能言語を表示する（ステップＳ３６）。図１８の例では、操作装置１０は、操作装置１０−３５の第１ロック画面（第１言語選択画面）から、操作装置１０−３６の言語選択画面（以下「第２ロック画面」ともいう）に表示を遷移させる。なお、操作装置１０は、表示を遷移させることなく、言語選択オブジェクトＯＢ３６を表示させることにより、操作装置１０−３５の第１ロック画面（第１言語選択画面）から、操作装置１０−３６の第２ロック画面（第２言語選択画面）に表示を変更してもよい。
【０１８６】
操作装置１０−３６の第２ロック画面には、表示部１３の領域ＡＲ３５とは異なる位置にある表示部１３の領域ＡＲ３６に、使用者による一の言語の選択を受け付ける言語選択オブジェクトＯＢ３６が配置される。言語選択オブジェクトＯＢ３６には、「日本語」、「Ｅｎｇｌｉｓｈ」、「Ｆｒｅｎｃｈ」といった選択可能な言語の一覧が含まれる。操作装置１０の表示部１３において、領域ＡＲ３５の範囲と領域ＡＲ３６の範囲とは重ならない。これにより、操作装置１０は、使用者の言語選択の操作をロック解除の操作として受け付けることができるため、健常者の利便性の低下を抑制しつつ、全盲の人等の視覚障害者が操作装置１０を触って、意図せずにロックが解除される可能性をさらに低減することができる。
【０１８７】
操作装置１０は、言語選択オブジェクトＯＢ３６が表示された領域ＡＲ３６への使用者の接触を検知する（ステップＳ３７）。図１７の例では、操作装置１０は、言語選択オブジェクトＯＢ３６が表示された領域ＡＲ３６のうち、「Ｅｎｇｌｉｓｈ」への使用者の接触を検知する。
【０１８８】
これにより、操作装置１０は、ロックを解除する（ステップＳ３８）。例えば、操作装置１０は、選択された言語により情報が表示される画面に遷移する。図１８の例では、操作装置１０は、操作装置１０−３６の第２ロック画面から、英語で表記された操作装置１０−４の操作画面に表示を遷移させる。このように、操作装置１０は、使用者の言語選択の操作をロック解除の操作と同じ操作で受け付けることができるため、健常者の利便性を向上させつつ、視覚障害者が実行中の制御を停止したい場合に、実行中の制御を停止する可能性を高めることができる。なお、上述してきた各実施形態及び変形例は、処理内容を矛盾させない範囲で適宜組み合わせることが可能である。
【０１８９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１９０】
Ｒ  トイレルーム
１  トイレシステム
２  便座装置
３  本体部
３１  通信部
３２  人体検知部
３３  着座検知部
３４  制御部
４  便蓋
５  着座部
６  ノズル部
７  洋式大便器（便器）
８  ボウル部
９  リム部
１０  操作装置
１１  通信部
１２  入力部
１３  表示部
１３１  外周部
１４  記憶部
１５  制御部
１５１  取得部
１５２  判定部
１５３  生成部
１５４  送信部
１６  接触検知部
１７  スイッチ部
１８  枠部
【図１】
2020119106.tif 000003
【図２】
2020119106.tif 000004
【図３】
2020119106.tif 000005
【図４】
2020119106.tif 000006
【図５】
2020119106.tif 000007
【図６】
2020119106.tif 000008
【図７】
2020119106.tif 000009
【図８】
2020119106.tif 000010
【図９】
2020119106.tif 000011
【図１０】
2020119106.tif 000012
【図１１】
2020119106.tif 000013
【図１２】
2020119106.tif 000014
【図１３】
2020119106.tif 000015
【図１４】
2020119106.tif 000016
【図１５】
2020119106.tif 000017
【図１６】
2020119106.tif 000018
【図１７】
2020119106.tif 000019
【図１８】
2020119106.tif 000020